(57)【要約】【課題】  ユーザ以外はカッター刃４をホルダー３から突出させることができないようにして、安全性に優れたカッターナイフ１を提供する。【解決手段】  本発明のカッターナイフ１は、長手方向に延びるスライド溝２を有するホルダー３と、このホルダー３の先端部から出退自在となるように当該ホルダー３のスライド溝２に収納されたカッター刃４と、このカッター刃４のスライド溝２に対する長手方向位置を位置決めする位置決め部材５とを備えている。そして、スライド溝２内に没入したカッター刃４が突出方向へ移動するのを規制する施錠状態と、そのカッター刃４の突出方向への移動を許容する解錠状態とに切り替え可能な施錠機構１５が、上記ホルダー３に設けられている。【選択図】図１
2009247854.tif 000002
【特許請求の範囲】
【請求項１】
長手方向に延びるスライド溝を有するホルダーと、このホルダーの先端部から出退自在となるように当該ホルダーの前記スライド溝に収納されたカッター刃と、このカッター刃のスライド溝に対する長手方向位置を位置決めする位置決め部材とを備えたカッターナイフにおいて、
前記スライド溝内に没入した前記カッター刃が突出方向へ移動するのを規制する施錠状態と、そのカッター刃の突出方向への移動を許容する解錠状態とに切り替え可能な施錠機構が前記ホルダーに設けられていることを特徴とするカッターナイフ。
【請求項２】
前記位置決め部材は、前記カッター刃の基端部に螺合される固定ネジより構成されている請求項１に記載のカッターナイフ。
【請求項３】
前記施錠機構は、施錠状態で前記固定ネジの頭部に係合し、解錠状態で当該固定ネジの頭部に対する係合を解除するロック部材を有する請求項２に記載のカッターナイフ。
【請求項４】
前記施錠機構は、前記ロック部材を施解錠自在に操作可能なキーレス錠よりなる請求項３に記載のカッターナイフ。
【請求項５】
前記キーレス錠は、前記ホルダの基端部に回転自在に収納された複数のダイヤルと、この各ダイヤルを所定の解錠番号に合わせた時にのみ前記ロック部材の解除を許容する連動部材とを有する請求項４に記載のカッターナイフ。
【発明の詳細な説明】
【技術分野】
【０００１】  本発明は、カッター刃をホルダーに出し入れ自在であり、そのカッター刃の突出を施錠する施錠機能付きのカッターナイフに関する。
【背景技術】
【０００２】  この種のカッターナイフとして、長手方向に延びるスライド溝を有するホルダーと、このホルダーの先端部から出退自在となるように当該ホルダーの前記スライド溝に収納されたカッター刃と、このカッター刃のスライド溝に対する長手方向位置を位置決めする位置決め部材とを備えたものが知られている。
このカッターナイフを使用するには、位置決め部材を操作してカッター刃をスライド溝から引き出し、カッター刃の先端部をホルダーから突出させればよく、このさい、カッター刃の突出部分の切断縁によって被切断物を切断することができる。
【発明の開示】
【発明が解決しようとする課題】
【０００３】  従来のカッターナイフでは、上記位置決め部材は、通常、カッター刃の基端部に螺合される固定ネジにより構成されていて、カッター刃の長手方向位置を位置決めする機能を有するだけであり、没入状態のカッター刃を突出方向へ移動するのを規制する施錠機能を有していない。【０００４】  このため、従来のカッターナイフでは、その所有者である大人のユーザ以外の例えば小学生等の子供でも、固定ネジを緩めることによって簡単にカッター刃をホルダーから引き出すことができ、この点で安全上に問題があった。
そこで、本発明の課題は、ユーザ以外はカッター刃をホルダーから突出させることができないようにして、安全性に優れたカッターナイフを提供する点にある。
【課題を解決するための手段】
【０００５】  本発明は、前記したスライド引き出し方式のカッター刃を有するカッターナイフにおいて、前記スライド溝内に没入した前記カッター刃が突出方向へ移動するのを規制する施錠状態と、そのカッター刃の突出方向への移動を許容する解錠状態とに切り替え可能な施錠機構が前記ホルダーに設けられていることを特徴とする。【０００６】  本発明のカッターナイフによれば、ホルダーに設けられた上記施錠機構により、スライド溝内に没入したカッター刃が突出方向へ移動するのを規制する施錠状態と、そのカッター刃の突出方向への移動を許容する解錠状態とに切り替え可能になっているので、その施錠機構の解錠方法を知る真のユーザ以外はカッター刃をホルダーから突出させることができない。
このため、例えば小学生等の子供がユーザに無断で勝手に当該カッターナイフを使用することができず、カッターナイフの安全性を向上することができる。【０００７】  本発明のカッターナイフにおいて、前記位置決め部材は、前記カッター刃の基端部に螺合される固定ネジより構成することができる（請求項２）。
この場合、前記施錠機構は、施錠状態で前記固定ネジの頭部に係合し、解錠状態で当該固定ネジの頭部に対する係合を解除するロック部材を有するものを採用することが好ましい（請求項３）。【０００８】  上記ロック部材を有する施錠機構によれば、そのロック部材が固定ネジの頭部に係脱することでカッター刃をロック又はアンロックするようになるので、カッター刃側にロック部材の被係合部を別途形成する必要がなく、施錠機能付きの本発明のカッターナイフをより簡便かつ安価に製造することができる。【０００９】  また、本発明のカッターナイフにおいて、前記施錠機構は、前記ロック部材を施解錠自在に操作可能なキーレス錠よりなることが好ましく（請求項４）、かかるキーレス錠として、例えば、前記ホルダの基端部に回転自在に収納された複数のダイヤルと、この各ダイヤルを所定の解錠番号に合わせた時にのみ前記ロック部材の解除を許容する連動部材とを有するものを採用することができる（請求項５）。
この場合、施錠機構を解錠するためのキーが不要であるから、ユーザがキーの管理や保管を行う必要がなくなり、施錠機構の施解錠操作がより簡便になる。
【発明の効果】
【００１０】  以上の通り、本発明によれば、ユーザ以外はカッター刃をホルダーから突出させることができないので、ユーザに無断で使用することができない安全性に優れたカッターナイフを得ることができる。
【発明を実施するための最良の形態】
【００１１】  以下、図面を参照しつつ、本発明の実施形態を説明する。
図１は、本実施形態に係る施錠機能付きカッターナイフの側面図であり、図２は、そのカッターナイフの平面断面図である。また、図３は、当該カッターナイフの基端部分の横断面図である。【００１２】  図１及び図２に示すように、本実施形態のカッターナイフ１は、長手方向に延びるスライド溝２を有するホルダー３と、このホルダー３の先端部から出退自在となるように当該ホルダー２のスライド溝２に収納されたカッター刃４と、このカッター刃４のスライド溝２に対する長手方向位置を位置決めする位置決め部材５とを備えている。【００１３】  上記ホルダー３は、断面ほぼＣ字状に屈曲形成された金属製のスライドレール７と、このレール７の外周部を一体に被覆するプラスチック製の手持ち部８を備え、スライドレール７の先端部（図１の左側端部）は、手持ち部８の先端縁から外部に突出した状態で露出している。
手持ち部８は、その基端側（図１の右側）に向かうに従って次第にやや広幅となる形状になっており、その基端部には、後述する施錠機構１５のケーシング１６が取り付けられている。【００１４】  カッター刃４は、先端が鋭利な三角形状に形成されたカッタープレート９と、このカッタープレート９の基端部に固着されたプラスチック製のスライダ１０とからなり、これらのプレート９とスライダ１０は、スライドレール７の断面内部で構成される前記スライド溝２に、長手方向（図１の左右方向）に沿ってスライド自在に収納されている。
また、カッター刃４は、その全長がスライドレール７よりも短寸であり、スライド溝２の最も基端側に引き込まれた場合には、カッタープレート９の先端がスライド溝２の内部に収納されるようになっている。【００１５】  前記位置決め部材５は、カッター刃４の基端部分を構成する上記スライダ１０に螺合される固定ネジよりなる。図３に示すように、この固定ネジ５は、ネジ軸部１１とこのネジ軸部１１の端部に固着された円盤状の頭部１２とからなり、ネジ軸部１１はスライダ１０をその厚さ方向に貫通している。
このため、固定ネジ５を緩めると、ネジ軸部１１の先端がスライド溝２の底面から離れ、これによってカッター刃４のスライド移動が許容される。【００１６】  逆に、固定ネジ５を締め付けると、ネジ軸部１１の先端がスライド溝２の底面を押圧して固定され、これによってカッター刃４のスライド溝２に対する長手方向位置を位置決めすることができる。
本実施形態のカッターナイフ１では、更に、スライド溝２内に没入したカッター刃４が突出方向へ移動するのを規制する施錠状態（図１の状態）と、そのカッター刃４の突出方向（図１の左側）への移動を許容する解錠状態とに切り替え可能な施錠機構１５を備えている。【００１７】  図１及び図３に示すように、本実施形態の施錠機構１５は、ホルダー３の手持ち部８の基端部分に設けられたケーシング１６と、このケーシング１６に揺動自在に取り付けられたロック部材１７と、そのケーシング１６内に回転自在に収納された複数（図例では２つ）のダイヤル１８と、この各ダイヤル１８を所定の解錠番号に合わせた時にのみロック部材１７の解除を許容する連動部材１９とを備えている。
ケーシング１６は、手持ち部８の基端部分におけるカッター刃４の切断縁側（図１の下側）に配置されている。【００１８】  上記ロック部材１７は、ケーシング１６から突出するほぼ楕円形の係合部分と、ケーシング１６内に設けられた枢着軸２０（図２参照）に貫通されたボス部とを備え、その枢着軸２０により、上下方向（図１の矢印Ａ方向）に揺動自在な状態で手持ち部８に枢着されている。
また、ロック部材１７の係合部分は、固定ネジ５の頭部１２よりもカッター刃４の切断縁側に配置されており、上方に揺動する施錠状態において固定ネジ５の頭部１２に係合し、下方に揺動する解錠状態において固定ネジ５の頭部１２に対する係合を解除する。【００１９】  各ダイヤル１８は、外周部に所定の数字（符号）が刻印されたリング状部材よりなり、手持ち部８の長手方向と平行な中心軸回りで回動自在である。本実施形態では、このダイヤル１８は合計２つ設けられており、これらのダイヤル１８は手持ち部８の長手方向に沿って２列に配置されている。
図３に示すように、ケーシング１６におけるカッター刃４の切断縁側（図３の下側）には、表示窓部２１が形成されており、この表示窓部２１から各ダイヤル１８の一部が外部に露出している。【００２０】  前記連動部材１９は、この部材１９の先端部分を構成するカム部２２と、このカム部２２から基端側に延びる軸部材２３よりなり、この軸部材２３は、手持ち部８の長手方向に向いた状態で各ダイヤル１８の中心部分を貫通している。
カム部２２の傾斜面は、ロック部材１７のボス部から突設した突出片に当接しており、このカム部２２を基端側（図１の右側）に移動させない限り、ロック部材１７を解錠方向である下方に揺動できないようになっている。【００２１】  そして、各ダイヤル１８の内部には、当該ダイヤル１８を所定の数字に合わせて回動させた時にだけ、カム部２２が基端側（図１の右側）に移動するのを許容する連通孔２４（図３参照）が形成されている。【００２２】  以上の構成を有するカッターナイフ１を用いて被切断物を切断するには、カッター刃４をホルダー３の先端側にスライドさせ、スライド溝２に没入しているカッター刃４を外部に突出させる必要がある。
しかし、本実施形態のカッターナイフ１では、ダイヤル錠よりなる前記施錠機構１５のロック部材１７の解錠方向（図１の下方）への揺動が、連動部材１９のカム部２２で規制されており、そのロック部材１７が固定ネジ５の頭部１２に当接しているため、カッター刃４を先端側へスライドさせることができない。【００２３】  そこで、ダイヤル錠の解錠番号を知っている真のユーザが、その解錠番号に合わせて各ダイヤル１８を回動させると、連動部材１９のカム部２２が各ダイヤル１８の連通孔２４に連通可能となる。このため、連動部材１９のカム部２２がを基端側に移動可能となり、ロック部材１７の係合部分を下方に揺動させることができる。
そして、ユーザは、ロック部材１７の係合部分を固定ネジ５の頭部１２から解除させることにより、カッター刃４を先端側にスライドできるようになる。【００２４】  このように、本実施形態のカッターナイフ１によれば、ホルダー３に設けられた施錠機構１５により、スライド溝２内に没入したカッター刃４が突出方向へ移動するのを規制する施錠状態と、そのカッター刃４の突出方向への移動を許容する解錠状態とに切り替え可能になっているので、施錠機構１５の解錠方法を知る真のユーザ以外はカッター刃４をホルダーから突出させることができない。
このため、例えば小学生等の子供がユーザに無断で勝手に当該カッターナイフ１を使用することができず、カッターナイフ１の安全性を向上することができる。【００２５】  また、本実施形態のカッターナイフ１によれば、施錠機構１５のロック部材１７が固定ネジ５の頭部１２に係脱することでカッター刃４をロック又はアンロックするようになっているので、カッター刃４側にロック部材１７の被係合部を別途形成する必要がなく、この点で製作が簡単であり、簡便かつ安価に製造できるという利点がある。
更に、本実施形態のカッターナイフ１によれば、施錠機構１５が、ロック部材１７を施解錠自在に操作可能なキーレス錠の一種である、ダイヤル錠により構成されているので、施錠機構１５を解錠するためのキーの管理や保管が不要であるという利点もある。【００２６】  上記実施形態は例示的なものであって限定的なものではない。すなわち、本発明の範囲は前記した特許請求の範囲によって示され、その請求項の意味に入るすべての変形例は本発明に含まれるものである。
例えば、施錠機構１５は、例えば押しボタン錠等のダイヤル錠以外のキーレス錠であってもよいし、キー付き錠であってもよい。
【図面の簡単な説明】
【００２７】
【図１】  施錠機能付きカッターナイフの側面図である。
【図２】  上記カッターナイフの平面断面図である。
【図３】  上記カッターナイフの基端部分の横断面図である。
【符号の説明】
【００２８】  １      カッターナイフ
２      スライド溝
３      ホルダー
４      カッター刃
５      位置決め部材（固定ネジ）
１１      ネジ軸部
１２      頭部
１５      施錠機構
１６      ケーシング
１７      ロック部材
１８      ダイヤル
１９      連動部材
【図１】
2009247854.tif 000003
【図２】
2009247854.tif 000004
【図３】
2009247854.tif 000005